(57)【要約】【課題】支柱間に格子パネルが取り付けられたものからなるフェンスにおいて、横線の視覚上の曲がりを分かりにくくすることができるので、横線に曲がりが生じていてもフェンスの美観を損ねることがない。【解決手段】支柱１と、支柱１の前面に取り付けられる格子パネル２とからなるフェンスにおいて、格子パネル２は、縦線３と横線４とを格子状に組んだものから構成され、横線４は、支柱１側に配され、かくして、フェンスを正面から見たときに、視覚上、横線４を複数本の縦線３により分断することによって、視覚上、横線４の曲がりを分かりにくくする。【選択図】図１
2008031767.tif 000002
【特許請求の範囲】
【請求項１】
支柱と、前記支柱の前面に取り付けられる格子パネルとからなるフェンスにおいて、
前記格子パネルは、縦線と横線とを格子状に組んだものから構成され、前記横線は、前記支柱側に配され、かくして、前記フェンスを正面から見たときに、前記横線を複数本の前記縦線により分断することによって、視覚上、前記横線の曲がりを分かりにくくすることを特徴とするフェンス。
【発明の詳細な説明】
【技術分野】
【０００１】
この発明は、フェンス、特に、視覚上、格子パネルの横線の曲がりを分かりにくくすることができる結果、横線に曲がりが生じていても美観を損ねることがないフェンスに関するものである。
【背景技術】
【０００２】
従来、支柱と、支柱の前面に取り付けられる格子パネルとからフェンスとして、例えば、意匠登録第９５３０８８号公報に開示されるものが知られている。以下、このフェンスを従来フェンスといい、図面を参照しながら説明する。
【０００３】
図５は、従来フェンスを示す部分正面図、図６は、従来フェンスを示す側面図、図７は、従来フェンスを示す部分平面図、図８は、従来フェンスにおける格子パネルと支柱との取り付け構造を示す組立て斜視図、図９は、従来フェンスとこの発明のフェンスとによる横線の曲がり状態を示す概略斜視図である。
【０００４】
図５から図８において、１１は、角形支柱、１２は、支柱１１の前面に取り付けられる格子パネルである。格子パネル１２は、縦線１３と横線１４とを溶接により格子状に組んだものから構成されている。縦線１３は、支柱１１側に配されている。
【０００５】
図８に示すように、格子パネル１２は、固定金具１５によって支柱１１の前面に取り付けられている。固定金具１５は、フックボルト１６と、横線１４が入り込む溝１７Ａが形成された受金１７と、ナット１８とから構成されている。
【０００６】
受金１７を用いるのは、図７に示すように、丁度、縦線１３間に支柱１１が位置する場合は、線１４と支柱１１とが密着するが、縦線１３が支柱１１にかかる場合には、支柱１１と横線１４との間に縦線１３の径分の隙間があいてしまい、フェンスが垂直面内において蛇行する。これを防止するために、受金１７の一部を横線１４と支柱１１との間に介在させる。後述するが、この発明のように、横線４が支柱１側に配される場合には、横線４が常に支柱１に密着するので、上記問題が起こらない。従って、受金１７は不要となり、固定金具５は、フックボルト６とナット８のみで良い（図４参照）。
【０００７】
固定金具１５によって格子パネル１２を支柱１１に取り付けるには、支柱１１の前面に格子パネル１２を仮置きし、フックボルト１６を支柱１１のボルト孔１１Ａ内に差し込みながら、受金１７の溝１７Ａに横線１４を入り込ませる。そして、フックボルト１６により横線１４を押さえながらナット１８を締める。
【０００８】
このようにして、フックボルト１６を上段、中断、そして、下段の順に上から締め付けることによって、格子パネル１２を支柱１１の前面に取り付けることができる。
【０００９】
【特許文献１】意匠登録第９５３０８８号公報
【発明の開示】
【発明が解決しようとする課題】
【００１０】
上記従来フェンスによれば、格子パネル１２を支柱１１の前面に固定金具１５により確実に取り付けることができるが、以下のような問題があった。
【００１１】
格子パネル１２の横線１４は、縦線１３に比べて長尺で、しかも、本数も少ないので、曲がりが生じやすい。この曲がりの原因は、工場での製造段階で生じる溶接歪、および、施工現場までの格子パネル搬送時の取り扱い等が考えられる。
【００１２】
溶接歪に関しては製造段階で矯正によりある程度、矯正できるが、完全には矯正できない。また、格子パネルは、たわみ易いので、特に、長尺の格子パネルでは、搬送時の取り扱いによる曲がりは生じやすい。
【００１３】
このように、横線１４に曲がりが生じていると、フェンスを正面から見た場合には、横線１４の曲がりは分かり難いが、フェンスを斜めから見た場合、横線１４の曲がりが顕著に見えて、フェンス全体の美観を損ねる。
【００１４】
図９に、従来フェンスのように、横線１４が縦線１３の前面に配された格子パネル２の一部を示すが、後述する、この発明のフェンスのように、横線４が縦線３の後面、すなわち、支柱側に配されている場合に比べて横線４の曲がりが顕著に分かる。
【００１５】
従って、この発明の目的は、支柱間に格子パネルが取り付けられたものからなるフェンスにおいて、視覚上、横線の曲がりを分かりにくくすることができるフェンスを提供することにある。
【課題を解決するための手段】
【００１６】
この発明は、上記目的を達成するためになされたものであって、下記を特徴とするものである。
【００１７】
請求項１記載の発明は、支柱と、前記支柱の前面に取り付けられる格子パネルとからなるフェンスにおいて、前記格子パネルは、縦線と横線とを格子状に組んだものから構成され、前記横線は、前記支柱側に配され、かくして、前記フェンスを正面から見たときに、前記横線を前記縦線により分断することによって、視覚上、前記横線の曲がりを分かりにくくすることに特徴を有するものである。
【発明の効果】
【００１８】
この発明によれば、縦線と横線とを格子状に組んだものから構成される格子パネルが支柱の前面に取り付けられたフェンスを構築する際に、横線に曲がりが生じていても、視覚上、横線の曲がりが分かりにくくなる。この結果、横線に曲がりが生じていてもフェンスの美観を損ねることがない。
【発明を実施するための最良の形態】
【００１９】
この発明のフェンスの一実施態様を、図面を参照しながら説明する。
【００２０】
図１は、この発明のフェンスを示す部分正面図、図２は、この発明のフェンスを示す側面図、図３は、この発明のフェンスを示す部分平面図、図４は、この発明のフェンスにおける格子パネルと支柱との取り付け構造を示す組立て斜視図である。
【００２１】
図１から図３において、１は、角形支柱である。支柱１は、角形以外に円形状であっても良い。２は、支柱１の前面に取り付けられる格子パネルである。格子パネル２は、縦線３と横線４とを溶接により格子状に組んだものから構成されている。横線４は、縦線３の後面、すなわち、支柱１側に配されている。
【００２２】
図４に示すように、格子パネル２は、固定金具５によって支柱１の前面に取り付けられている。固定金具５は、フックボルト６と、ナット８とから構成されている。上述したように、この発明では、横線４が常に支柱１に密着するので、従来フェンスの固定金具１５のように受金１７は不要である（図８参照）。
【００２３】
固定金具５によって格子パネル２を支柱１に取り付けるには、支柱１の前面に格子パネル２を仮置きし、フックボルト６を支柱１のボルト孔１Ａ内に差し込んで、フックボルト６を横線４に引っ掛ける。そして、フックボルト６により横線４を押さえながらナット８を締める。
【００２４】
このようにして、フックボルト６を上段、中断、そして、下段の順に上から締め付けることによって、格子パネル２を支柱１の前面に取り付けることができる。
【００２５】
このようにして構築された、この発明のフェンスは、その横線４が支柱１側に配置されているので、フェンスを正面から見たときに、横線４が複数本の縦線３により分断される。この結果、視覚上、特に、フェンスを斜めから見たときに、横線４の曲がりが分かりにくくなるので、フェンス全体の美観を損ねる恐れがない。
【００２６】
図９に示すように、横線４が縦線３の前面に配された従来フェンスに比べて、横線４が縦線３の後面、すなわち、支柱１側に配されている、この発明のフェンスの方が、視覚上、横線４が複数本の縦線３によって分断されているので、曲がりが分かり難くなっていることが分かる。
【図面の簡単な説明】
【００２７】
【図１】この発明のフェンスを示す部分正面図である。
【図２】この発明のフェンスを示す側面図である。
【図３】この発明のフェンスを示す部分平面図である。
【図４】この発明のフェンスにおける格子パネルと支柱との取り付け構造を示す組立て斜視図である。
【図５】従来フェンスを示す部分正面図である。
【図６】従来フェンスを示す側面図である。
【図７】従来フェンスを示す部分平面図である。
【図８】従来フェンスにおける格子パネルと支柱との取り付け構造を示す組立て斜視図である。
【図９】従来フェンスとこの発明のフェンスとによる横線の曲がり状態を示す概略斜視図である。
【符号の説明】
【００２８】
１：角形支柱
１Ａ：ボルト孔
２：格子パネル
３：縦線
４：横線
５：固定金具
６：フックボルト
８：ナット
１１：角形支柱
１１Ａ：ボルト孔
１２：格子パネル
１３：縦線
１４：横線
１５：固定金具
１６：フックボルト
１７：受金
１７Ａ：溝
１８：ナット
【図１】
2008031767.tif 000003
【図２】
2008031767.tif 000004
【図３】
2008031767.tif 000005
【図４】
2008031767.tif 000006
【図５】
2008031767.tif 000007
【図６】
2008031767.tif 000008
【図７】
2008031767.tif 000009
【図８】
2008031767.tif 000010
【図９】
2008031767.tif 000011